(57)【要約】      （修正有）【課題】ヘアーブラシのブラシ部に摩擦性ブラシピンを配置することによって、毛髪をブラシ部に絡ませ易い構成とし、容易に自由なヘアースタイリングを可能としたヘアーブラシを提供する。【解決手段】多数のブラシピン群からなるブラシ部２を備えたヘアーブラシにおいて、ブラシ部２の少なくとも一部に、毛髪との摩擦性を有する摩擦性ブラシピン７を配置し、その摩擦性ブラシピン７を配置することにより、毛髪を摩擦性ブラシピン７に絡ませてヘアースタイリングを可能とした。【選択図】図１
0003211862.tif 000002
【実用新案登録請求の範囲】
【請求項１】
多数のブラシピン群からなるブラシ部（２）を備えたヘアーブラシにおいて、
前記ブラシ部（２）の少なくとも一部に、毛髪との摩擦性を有する摩擦性部位を設定し、
その摩擦性部位を設定することにより、毛髪を摩擦性部位に絡ませてヘアースタイリングを可能としたヘアーブラシ。
【請求項２】
前記摩擦性部位として摩擦性ブラシピン（７）を配置し、
隣接する摩擦性ブラシピン（７）同士の間に狭窄部分を形成し、その狭窄部分を利用して毛髪を絡ませる構成とした請求項１記載のヘアーブラシ。
【請求項３】
隣接する摩擦性ブラシピン（７）同士の基部及び先部の間隔を広く、中間部分を徐々に狭く設定して狭窄部分を形成したことを特徴とする請求項２記載のヘアーブラシ
【請求項４】
前記ブラシ部（２）は固定部からブラシピンを放射状に立設させており、
摩擦性ブラシピン（７）を前後方向に整列させて摩擦性ブラシピン列を形成し、
その摩擦性ブラシピン列をブラシ部の周方向に所定間隔で配置したことを特徴とする請求項２又は３記載のヘアーブラシ。
【請求項５】
摩擦性ブラシピン（７）をゴムまたはシリコン若しくは樹脂によって形成したことを特徴とする請求項１〜４いずれか記載のヘアーブラシ。
【請求項６】
ブラシピンの基部に発熱体を備えたヘアーアイロンブラシに適用したことを特徴とする請求項１〜５いずれか記載のヘアーブラシ。
【考案の詳細な説明】
【技術分野】
【０００１】
本考案は、理容店や美容院等または家庭用として利用に供されるヘアーブラシに関し、特に、ヘアーブラシのブラシ部に摩擦性ブラシピンを配置することによって、毛髪をブラシ部に絡ませ易い構成とし、容易に自由なヘアースタイリングを可能としたヘアーブラシに関する。
【背景技術】
【０００２】
従来、毛髪を熱の作用でカールセットする手段として、発熱体を備えたアイロン部に毛髪を巻き付けるヘアーアイロンブラシがあり、このヘアーアイロンブラシは、ブラシ部に毛髪を挟む髪押さえ部（クリップ）を備え、このクリップによって毛髪を挟み、カールやストレート等に毛髪の形付け（ヘアースタイリング）を行う構成となっている。
このようなクリップを備えたヘアーアイロンに関する技術として特許文献１、２の技術が公知である。
【先行技術文献】
【特許文献】
【０００３】
【特許文献１】実公平８−３２９５号公報
【特許文献２】実開平５−９５４０１号公報
【考案の概要】
【考案が解決しようとする課題】
【０００４】
前記特許文献１，２の技術のように、クリップがある場合、髪の毛の毛先を髪押さえ部で挟んで巻き込んだ際、その髪押さえ部が巻き付いた毛髪により開閉できなくなるため、取り外しが困難という問題があった。
毛髪からヘアーアイロンを取り外すには、毛先から巻き込んだ後、また毛先まで巻き戻さなければならない。しかし、この巻き戻しの際、髪の毛を引っ張ったりしてしまうとヘアーアイロンからの余熱により作ったカールが型崩れするという問題もある。
クリップがある場合、毛髪の中間部分をクリップした場合、毛髪の短い部位も共にクリップしてしまうため、毛髪が引っ掛ってしまい、スタイリングが困難であり、また、毛髪を根本から先端方向へ巻き込みながらスタイリングをする、いわゆる巻きおろしが困難という問題もあった。
【０００５】
本考案は、かかる従来の問題を解決するためになされたものであって、その目的とするところは、ヘアーブラシのブラシ部に摩擦性ブラシピンを配置することによって、毛髪をブラシ部に絡ませ易い構成とし、容易に自由なヘアースタイリングを可能としたヘアーブラシを提供することにある。
【課題を解決するための手段】
【０００６】
前記目的を達成するための手段として請求項１記載のヘアーブラシでは、多数のブラシピン群からなるブラシ部（２）を備えたヘアーブラシにおいて、前記ブラシ部（２）の少なくとも一部に、毛髪との摩擦性を有する摩擦性部位を設定し、その摩擦性部位を設定することにより、毛髪を摩擦性部位に絡ませてヘアースタイリングを可能とした。
【０００７】
請求項２記載のヘアーブラシでは、請求項１記載のヘアーブラシにおいて、前記摩擦性部位として摩擦性ブラシピン（７）を配置し、隣接する摩擦性ブラシピン（７）同士の間に狭窄部分を形成し、その狭窄部分を利用して毛髪を絡ませる構成とした。
【０００８】
請求項３記載のヘアーブラシでは、請求項２記載のヘアーブラシにおいて、隣接する摩擦性ブラシピン（７）同士の基部及び先部の間隔を広く、中間部分を徐々に狭く設定して狭窄部分を形成したことを特徴とする。
【０００９】
請求項４記載のヘアーブラシでは、請求項２又は３記載のヘアーブラシにおいて、前記ブラシ部（２）は固定部からブラシピンを放射状に立設させており、摩擦性ブラシピン（７）を前後方向に整列させて摩擦性ブラシピン列を形成し、その摩擦性ブラシピン列をブラシ部の周方向に所定間隔で配置したことを特徴とする。
【００１０】
請求項５記載のヘアーブラシでは、請求項１〜４いずれか記載のヘアーブラシにおいて、摩擦性ブラシピン（７）をゴムまたはシリコン若しくは樹脂によって形成したことを特徴とする。
【００１１】
請求項６記載のヘアーブラシでは、請求項１〜５いずれか記載のヘアーブラシにおいて、ブラシピンの基部に発熱体を備えたヘアーアイロンブラシに適用したことを特徴とする。
【考案の効果】
【００１２】
請求項１記載のヘアーブラシでは、多数のブラシピン群からなるブラシ部を備えたヘアーブラシにおいて、ブラシ部の少なくとも一部に、毛髪との摩擦性を有する摩擦性部位を設定したので、その摩擦性部位を利用して、ブラシに毛髪を絡ませながらヘアースタイリングを行うことができる。
【００１３】
請求項２記載のヘアーブラシでは、摩擦性部位として摩擦性ブラシピンを配置し、隣接する摩擦性ブラシピン同士の間に狭窄部分を形成し、その狭窄部分を利用して毛髪を絡ませる構成としたので、毛髪を確実にブラシ部に絡ませることができる。
【００１４】
請求項３記載のヘアーブラシでは、隣接する摩擦性ブラシピン同士の基部及び先部の間隔を広く、中間部分を徐々に狭く設定して狭窄部分を形成したので、毛髪は広く開いた先端部分からブラシ部に嵌りやすく、一旦摩擦性ブラシピンの基部に嵌った毛髪は、狭窄部分によって脱落が阻止され、抜けにくい構成となっている。
【００１５】
請求項４記載のヘアーブラシでは、ブラシ部は固定部からブラシピンを放射状に立設させており、摩擦性ブラシピンを前後方向に整列させて摩擦性ブラシピン列を形成し、その摩擦性ブラシピン列をブラシ部の周方向に所定間隔で配置したので、摩擦性ブラシピンがブラシ部に所定間隔をおいて配置される。
従って、ブラシ部に所定間隔で摩擦性部位が配置されることになり、毛髪を掴みやすく、しかも絡まり過ぎず、ヘアースタイルに適切な毛髪の絡まりと解放具合が実現される。
【００１６】
請求項５記載のヘアーブラシでは、摩擦性ブラシピンをゴムまたはシリコン若しくは樹脂によって形成したので、柔軟素材による毛髪への程良い抵抗力が付与され、毛髪の毛表皮（キューティクル）を整え、髪ツヤを出す効果が得られる。
【００１７】
請求項６記載のヘアーブラシでは、ブラシピンの基部に発熱体を備えたヘアーアイロンブラシに適用したので、上述した効果に加え、アイロン効果により容易に毛髪にカールやウェーブを形成、あるいはストレート加工をすることができる。
また、本考案のヘアーブラシを使用し、カールやウェーブを形成、あるいはストレートに形成するヘアデザインの提供ができる。
【図面の簡単な説明】
【００１８】
【図１】本考案のヘアーブラシの斜視図である。
【図２】ヘアーブラシを折り曲げた状態の斜視図である。
【図３】（ａ）摩擦性ブラシピンの正面図である。（ｂ）摩擦性ブラシピンの平面図である。（ｃ）摩擦性ブラシピンの側面図である。
【図４】ブラシピンの立設状態を示す概略断面図である。
【考案を実施するための形態】
【実施例１】
【００１９】
本考案の第１実施例に係るヘアーブラシは、図１〜４に示すように、基部にグリップ部１、先方にブラシ部２を備えた直状構造体からなり、本体の中央部分に折り畳み可能の屈曲部３を備えている。
グリップ部１は略円柱形の把持部であり、グリップ部１の基端には電源コード４が連結され、表側中央に電源スイッチ５、裏側中央に折り畳みスイッチ６が設けられている。
【００２０】
ブラシ部２はグリップ部の延長線上に配置され、円柱形の固定座の外周にブラシピンが放射状に立設されている。
固定座の内部には発熱体が収容されており、グリップ基部１に連結された電源コード４から電気の供給を受けて発熱する構成となっている。
【００２１】
ブラシ部２に立設されたブラシピンは、毛髪との摩擦性を有する摩擦性ブラシピン７と、毛髪に対して滑り性を有する滑性ブラシピン８から構成されている。
摩擦性ブラシピン７は、滑性ブラシピン８に比較してやや太く形成されている。
摩擦性ブラシピン７と滑性ブラシピン８は、それぞれ本体の前後方向に列を形成して立設されている。そして、それぞれのブラシピン列が所定角度（本実施例では３０度）を置いて並び、固定座を周回した状態でブラシピンが配置されている。
すなわち、本実施例では一列に並んだ１５本〜１７本の摩擦性ブラシピン７または      滑性ブラシピン８によって一つのブラシピン列が構成され、そのブラシピン列が固定座の周方向に３０度の角度をおいて配置されている。
そのため、ブラシ部２全体で１２列のブラシピン列が配置され、本実施例では３列の摩擦性ブラシピンが１２０度の間隔をおいて配置され、その間に間隔をおいて９列の滑性ブラシピンが配置されている（図４参照）。
【００２２】
摩擦性ブラシピン７は、フッ素ゴム等の柔軟性素材によって形成され、その表面は無数の凹凸によりざらつきのある表面加工がなされており、ヘアースタイリング時に、接触した毛髪をその摩擦性により付着させる摩擦性部位として機能する。
なお、摩擦性ブラシピン７は合成樹脂、シリコン等によって形成することも可能であり、その表面は凹凸を形成せずに滑らかに形成することも可能である。
一方、滑性ブラシピン８は通常の櫛と同様の摩擦抵抗の低い滑性加工が施されている。
【００２３】
摩擦性ブラシピン７の形状は、図３に示すように、基部が短く直状に立ち上がり、短く立ち上がった先方が徐々に拡幅し、中央部分が幅広とされており、幅広の中央部分から先端に向かって幅が徐々に収束している。そのため、摩擦性ブラシピンを側面から見るとひし形の形状とされている。
摩擦性ブラシピン７同士の隣接間隔は、先端部分が先方に向かって開き、中央にかけて徐々に狭窄し、さらに基部が広く形成されているので、ブラシ時に、毛髪は広く開いた先端部分から嵌りやすく、一旦摩擦性ブラシピンの基部に嵌った毛髪は、狭窄部分によって脱落が阻止され、抜けにくい構成となっている。
【００２４】
狭窄部分の間隔は本実施例では０．５ｍｍの間隔とされている。
なお、狭窄部分の間隔は、好ましくは０．５〜１ｍｍの範囲内であり、さらに０〜２ｍｍ程度の範囲内であれば適用可能である。
摩擦性ブラシピンは、スタイリング時にその摩擦性により毛髪を付着させて掴むが、基部に嵌った毛髪は、グリップ部の操作により本体の角度、あるいは強さを調整すると、絡まりが解除され、基部から毛髪がすり抜ける。
【００２５】
ブラシピンが立設された固定座には熱板が配置されている。この熱板は発熱体からの熱を受けて、毛髪にアイロン効果を与える部位であり。この立設面に接触した毛髪がアイロン効果により、毛髪へのスタイリングが行われる。
摩擦性ブラシピン７の立設面は、列方向にゴムが露出した状態でつながっているため、この部分を隣接する熱板よりわずかに低く形成している。すなわち、熱板をゴムより表側に位置させて、やや突設した状態としており、これにより、毛髪が熱板へ接触し易くしている。
【００２６】
次に、本実施例のヘアーブラシの使用方法を説明する。
電源スイッチ５をＯＮにして、発熱体へ通電し、ブラシ部２の基部の立設面を加熱させる。
適切な温度に達した状態で、ブラシ部２で毛髪を巻き取り、またはブラシ部２で髪をすき、毛髪をカールやウェーブ、あるいはストレートに形付けする。
摩擦性ブラシピン７が設けられているので、ブラシ時に、毛髪は広く開いた先端部分から嵌りやすく、一旦摩擦性ブラシピンの基部に嵌った毛髪は、狭窄部分によって脱落が阻止され、抜けにくい。
本実施例のヘアーブラシは毛髪をクリップせず、摩擦性ブラシピン７に絡めるので、毛髪の毛先、あるいは中間部分であっても、摩擦性ブラシピンが毛髪を絡ませて、容易に毛髪にカールやウェーブ、あるいはストレートに伸ばすことができる。
すなわち、毛先から毛髪を巻き込みながら、あるいは、毛髪の根本部または中間部から巻き込みながらスルーしてスタイリングもできるし、単にスルーしてストレートにスタイリングもできる。
【００２７】
カールやウェーブ、あるいはストレートの形付けが十分に行われた時点で、絡まりを緩める方向にグリップ部を回転あるいは傾けると、摩擦性ブラシピンと毛髪の絡まりが解除され、毛髪からブラシ部２が離れ、ブラシ部２を抜き取ることができる。
本実施例では、柔軟性のある摩擦性ブラシピン７を装着し、その柔軟性のある摩擦性ブラシピン７に毛髪が脱落し難い狭窄部分を形成し、さらに摩擦性ブラシピン同士の隙間を近接させているので毛髪を掴みやすく、抜けにくい構成となっている。
また、摩擦性ブラシピン７が柔軟素材によって形成されているので、毛髪へ程良い抵抗力が付与され、毛髪の毛表皮（キューティクル）を整え、髪ツヤを出す効果が得られる。
本体の携帯時には、屈曲部から二つ折りにして全長を短縮することによって携帯容易な大きさとなる。
【実施例２】
【００２８】
次に、第２実施例に係るヘアーブラシを説明する。
第２実施例ヘアーブラシは、第１実施例における摩擦性ブラシピン７または滑性ブラシピン８のいずれか一方、或いは摩擦性ブラシピン７と滑性ブラシピン８の両方に、そして、発熱体の熱板塗面層に多元素鉱物ミネラル粉状体または遠赤外線放射粉状体を含有させていることを特徴としている。
【００２９】
本実施例のヘアーブラシは、遠赤外線放射粉状体から放射される遠赤外線により、アイロン効果が効果的に得られる。
多元素鉱物ミネラル粉状体から放射される微弱エネルギーにより毛髪をケアしながらスタイリングすることができ、また、頭皮の血行を増進させて発毛促進や効果的なスキャルプケアができる。
また、多元素鉱物ミネラル粉状体の作用によってブラッシングしても静電気が発生せず、ブラッシングや加熱板によるカール等をスムーズに行なうことができると共にスタイリングも容易にできる。
【００３０】
しかも多元素鉱物ミネラル粉状体から発生するマイナスイオンによってブラッシングするだけで髪や頭皮の血行を良好にでき、また、マイナスイオンによって毛髪の水分にクラスター現象（水の分子集団を小さくする力）が生じ、毛髪のツヤ感と潤い感を高めサラサラでまとまりのあるデザインに仕上げることができる。
また、マイナスイオンが毛髪のキュ−ティクル（ガラス状の繊維）に作用し、常にツヤのよい状態に保つことができ、特に、ダメ−ジヘアや細くてまとまりづらい毛髪に効果的である。
【００３１】
本考案で使用する多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００３２】
多元素鉱物ミネラル粉状体は、多元素鉱物をボールミル等で粉砕してパウダーに形成したもので、この場合の粉砕数値は１〜３ミクロンが望ましいが数値は変わってもよい。
多元素鉱物ミネラル粉状体は単独或いは組み合わせて使用することができるが、２種類以上を適宜配合して使用することが好ましい。
この多元素鉱物ミネラル粉状体はそのまま使用してもよいし、これを水と混合し、加熱又は加圧した後、上澄み液を真空凍結乾燥や噴射乾燥により粉末にしたものを使用してもよい。
【００３３】
本考案でいう「含有」には、多元素鉱物粉状や遠赤外線放射粉状体を摩擦性ブラシピン、滑性ブラシピン自体に練り込んで所定の形状に成型したものの他、多元素鉱物粉状や遠赤外線放射粉状体をコーティング剤に混合させて表面に塗布することでコーティング層（例えば、セラミックコーティング層、メッキ層、フッ素コーティング層、ナイロン層、合成樹脂層、シリコンラバー層、フッ素ラバー層等）を形成させたものが含まれる。
セラミックコーティング層の形成方法については、多元素鉱物粉状や遠赤外線放射粉状体をコーティング剤である耐熱性フォーマイカに加えて塗料状にしたものをブラシピンに塗布し、これを加熱炉に通してコーティング剤を飛ばして（焼き付けて）形成する方法等による。
耐熱性フォーマイカに対する多元素鉱物粉状または遠赤外線放射粉状体の混合割合は、容積比で３〜１５％が望ましいがこの数値に限定されるものではない。
【００３４】
そして、摩擦性ブラシピンまたは滑性ブラシピンに多元素鉱物粉状体を混合させるには、例えば、多元素鉱物をボールミルやジェットミル等で約１〜３ミクロンに粉砕して粉状体に形成し、これを０．５〜１０％の比率で多元素鉱物の原料中（例えば、溶融金属、溶融樹脂）に混合し、成形するようにしている。
【００３５】
この場合、多元素鉱物粉状体は２種類以上を適宜に配合して使用することが好ましいが、１種類であってもよい。
又、多元素鉱物粉状体を水と混合し、加熱又は加圧したのち得た上澄み液を混合させてもよいし、真空凍結乾燥や噴霧乾燥により粉末にしたものを混合させてもよい。
【００３６】
多元素鉱物の例である真珠岩の成分を以下の表１に示す。
【００３７】
【表１】
0003211862.tif 000003
尚、この表１において、ｉｇ・ｌｏｓｓは、カオリンの化粧品基準、強熱減量（５００℃、恒温）に準じる。
【００３８】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【００３９】
以上、本考案の実施例を説明したが、本考案の具体的な構成はこの実施例に限定されるものではなく、考案の要旨を逸脱しない範囲における設定変更等があっても本考案に含まれる。
例えば、第１実施例で説明した摩擦性ブラシピン７の形状については、ひし形の他、狭窄部分を設定する構成であれば、他の形状を採用することも可能である。
また、第１実施例では摩擦性ブラシピン７を１２０度の間隔をおいて３列配置する構成としたが、９０度の間隔をおいて４列配置することも可能である。すなわち、配置する列数については任意であり、本実施例よりも少なく、あるいはさらに多くの摩擦性ブラシピンを配置する場合であっても本考案に含まれる。
【符号の説明】
【００４０】
１  グリップ部
２  ブラシ部
３  屈曲部
４  電源コード
５  電源スイッチ
６  折り畳みスイッチ
７  摩擦性ブラシピン
８  滑性ブラシピン
【図１】
0003211862.tif 000004
【図２】
0003211862.tif 000005
【図３】
0003211862.tif 000006
【図４】
0003211862.tif 000007
【手続補正書】
【提出日】平成29年6月9日(2017.6.9)
【手続補正１】
【補正対象書類名】実用新案登録請求の範囲
【補正対象項目名】全文
【補正方法】変更
【補正の内容】
【実用新案登録請求の範囲】
【請求項１】
多数のブラシピン群からなるブラシ部（２）を備えたヘアーブラシにおいて、
前記ブラシ部（２）の少なくとも一部に、毛髪との摩擦性を有する摩擦性部位を設定し、
その摩擦性部位を設定することにより、毛髪を摩擦性部位に絡ませてヘアースタイリングを可能としたヘアーブラシ。
【請求項２】
前記摩擦性部位として摩擦性ブラシピン（７）を配置し、
隣接する摩擦性ブラシピン（７）同士の間に狭窄部分を形成し、その狭窄部分を利用して毛髪を絡ませる構成とした請求項１記載のヘアーブラシ。
【請求項３】
隣接する摩擦性ブラシピン（７）同士の基部及び先部の間隔を広く、中間部分を徐々に狭く設定して狭窄部分を形成したことを特徴とする請求項２記載のヘアーブラシ
【請求項４】
前記ブラシ部（２）は固定部からブラシピンを放射状に立設させており、
摩擦性ブラシピン（７）を前後方向に整列させて摩擦性ブラシピン列を形成し、
その摩擦性ブラシピン列をブラシ部の周方向に所定間隔で配置したことを特徴とする請求項２又は３記載のヘアーブラシ。
【請求項５】
摩擦性ブラシピン（７）をゴムまたはシリコン若しくは樹脂によって形成したことを特徴とする請求項２〜４いずれか記載のヘアーブラシ。
【請求項６】
ブラシピンの基部に発熱体を備えたヘアーアイロンブラシに適用したことを特徴とする請求項１〜５いずれか記載のヘアーブラシ。
【手続補正２】
【補正対象書類名】明細書
【補正対象項目名】００１０
【補正方法】変更
【補正の内容】
【００１０】
請求項５記載のヘアーブラシでは、請求項２〜４いずれか記載のヘアーブラシにおいて、摩擦性ブラシピン（７）をゴムまたはシリコン若しくは樹脂によって形成したことを特徴とする。